(57)【要約】【課題】容器本体からスパチュラを取り外すことが容易なスパチュラ付き容器を提供する。【解決手段】有底かつ上面開口の内筒部１４と、この内筒部１４の周囲に支承され、内筒部１４との間に環状空間Ｖを形成する外筒部１８とを有する容器本体１０と、天板３２から垂設された蓋周壁３４を前記外筒部１８に嵌合させたキャップ３０と、前記内筒部１４の外面に沿って上方引き出し可能に配置された縦長のスパチュラ４０と、前記環状空間Ｖ内に組み付けられ、前記スパチュラ４０を前記キャップ３０との間に上方付勢状態で挟持させて支える受け部材５０とを具備する。そして前記外筒部１８から前記キャップ３０を外したときに、前記受け部材５０が前記スパチュラ４０を押し上げ、前記スパチュラ４０の上部が前記容器本体１０より上方へ突き出されるように構成されている。【選択図】図１
2020179903.tif 000002
【特許請求の範囲】
【請求項１】
有底かつ上面開口の内筒部(１４)と、この内筒部(１４)の周囲に支承され、内筒部(１４)との間に環状空間(Ｖ)を形成する外筒部(１８)とを有する容器本体(１０)と、
天板(３２)から垂設された蓋周壁(３４)を前記外筒部(１８)に嵌合させたキャップ(３０)と、
前記内筒部(１４)の外面に沿って上方引き出し可能に配置された縦長のスパチュラ(４０)と、
前記環状空間(Ｖ)内に組み付けられ、前記スパチュラ(４０)を前記キャップ(３０)との間に上方付勢状態で挟持させて支える受け部材(５０)とを具備し、
前記外筒部(１８)から前記キャップ(３０)を外したときに、前記受け部材(５０)が前記スパチュラ(４０)を押し上げ、前記スパチュラ(４０)の上部が前記容器本体(１０)より上方へ突き出されるように構成したことを特徴とするスパチュラ付き容器。
【請求項２】
前記受け部材(５０)を、前記スパチュラ(４０)を縦向きに支える保持用凹部(５４)を備えた受け部(５２)と、この受け部(５２)の両側から下方へ突出した一対の脚部(５６)とで形成し、
この脚部(５６)の下端部(５８)を支持する底板(３)を備えたことを特徴とする、請求項１に記載のスパチュラ付き容器。
【請求項３】
前記受け部(５２)を、前記内筒部(１４)の径方向から見て略Ｕ字形の枠体に、また前記脚部(５６)を前記略Ｕ字形の枠体から周方向の外下方へ突出する脚片にそれぞれ形成し、かつこれら枠体及び脚片を内筒部(１４)の外面に沿った構造としたことを特徴とする、請求項２に記載のスパチュラ付き容器。
【請求項４】
前記環状空間(Ｖ)の周方向の一部には、この環状空間(Ｖ)を画成する前記内筒部(１４)と外筒部(１８)と底板(３)とのうちの何れか一つと連設させて、一対の垂直なガイド板(７)が形成されており、これらガイド板(７)の間で前記受け部(５２)が縦方向へ摺動するように構成したことを特徴とする、請求項２又は請求項３に記載のスパチュラ付き容器。
【請求項５】
前記脚部(５６)の下端部(５８)と前記底板(３)との間に上方付勢手段である弾性部材(６０)を配置したことを特徴とする、請求項２から請求項４のいずれかに記載のスパチュラ付き容器。
【請求項６】
前記脚部(５６)を上方付勢手段である板バネに形成したことを特徴とする、請求項２から請求項４のいずれかに記載のスパチュラ付き容器。
【発明の詳細な説明】
【技術分野】
【０００１】
本発明は、スパチュラ付き容器に関する。
【背景技術】
【０００２】
広口の筒周壁を有する容器本体と、前記筒周壁の上部外面に螺合された有頂筒状のキャップとを具備し、このキャップの下側で、前記筒周壁の外面から当該キャップより大径の鍔部を介して補助周壁を垂下させるとともに、前記キャップより外側の鍔部分に挿通孔を開口してなり、この挿通孔に対して、上方へ掬い部を向けたスパチュラの柄部を嵌挿させて、スパチュラを嵌着させたものが知られている（特許文献１）。  
【先行技術文献】
【特許文献】
【０００３】
【特許文献１】特開２０００−３２６９８５
【発明の概要】
【発明が解決しようとする課題】
【０００４】
特許文献１の容器では、掬い部を上にしたスパチュラの柄部を前記鍔部の挿通孔内へ挿入しており、スパチュラを取り出すときに、前記掬い部を指で摘まんで引き上げると、指の汚れが掬い部に付着してしまうという問題点があった。
この問題点に対して、例えば柄部の寸法を長くして、この柄部を挿通孔へ挿入させたときに前記鍔部の上側に柄部の上部を位置させ、この上部を把持部として引きあげることが可能とすることも考えられる。しかしながら、この構成でも、把持部と前記筒周壁とが接近し過ぎて把持し難く、取り出しが難しいという不都合が残る。
【０００５】
本発明の目的は、容器本体からスパチュラを取り外すことが容易なスパチュラ付き容器を提供することである。
【課題を解決するための手段】
【０００６】
第１の手段は、有底かつ上面開口の内筒部１４と、この内筒部１４の周囲に支承され、内筒部１４との間に環状空間Ｖを形成する外筒部１８とを有する容器本体１０と、
天板３２から垂設された蓋周壁３４を前記外筒部１８に嵌合させたキャップ３０と、
前記内筒部１４の外面に沿って上方引き出し可能に配置された縦長のスパチュラ４０と、
前記環状空間Ｖ内に組み付けられ、前記スパチュラ４０を前記キャップ３０との間に上方付勢状態で挟持させて支える受け部材５０とを具備し、
前記外筒部１８から前記キャップ３０を外したときに、前記受け部材５０が前記スパチュラ４０を押し上げ、前記スパチュラ４０の上部が前記容器本体１０より上方へ突き出されるように構成した。
【０００７】
本手段では、図１又は図７に示す容器本体１０の内筒部１４及び外筒部１８の間に形成された環状空間Ｖ内に、受け部材５０を組み付けている。
この受け部材５０は、前記内筒部１４の外面に沿って配置した縦長のスパチュラ４０を上方付勢状態でキャップ３０との間に挟持させて支えている。この構成によれば、図６に示す如く、前記キャップ３０を外すことにより、スパチュラ４０の上部を容器本体１０より上方へ突き出させることができる。従ってこのスパチュラ４０を把持し易い。
【０００８】
第２の手段は、第１の手段を有し、かつ前記受け部材５０を、前記スパチュラ４０を縦向きに支える保持用凹部５４を備えた受け部５２と、この受け部５２の両側から下方へ突出した一対の脚部５６とで形成し、
この脚部５６の下端部５８を支持する底板３を備えた。
【０００９】
本手段では、図１又は図７に示す如く、前記受け部材５０は、前記スパチュラ４０を縦向きに支える保持用凹部５４を有する受け部５２と、この受け部５２の両側から下方へ突出した一対の脚部５６とで形成されている。従って、前記保持用凹部により、前記スパチュラ４０の向きを適切に維持することができ、スパチュラ４０が不意に傾くなどの不都合を生じないので、把持し易い。
なお、前記脚部５６の下端部５８は底板３により支持されている。図５に示す如く脚部５６と底板３との間に他部材（弾性部材）を介して支持していてもよい。
【００１０】
第３の手段は、第２の手段を有し、かつ前記受け部５２を、前記内筒部１４の径方向から見て略Ｕ字形の枠体に、また前記脚部５６を前記略Ｕ字形の枠体から周方向の外下方へ突出する脚片にそれぞれ形成し、かつこれら枠体及び脚片を内筒部１４の外面に沿った構造とした。
【００１１】
本手段では、図５（Ａ）又は図８（Ａ）に示す如く、前記受け部５２を、前記内筒部１４の径方向から見て略Ｕ字形の枠体に、また前記脚部５６を前記略Ｕ字形の枠体から周方向の外下方へ突出する脚片にそれぞれ形成した。
またこれら枠体及び脚片を、図３（Ｂ）に示すように、内筒部１４の外面に沿った構造としている。
この構成によれば、前記受け部材５０を、前記環状空間Ｖ内に収納するのに適しており、かつ簡易な構造とすることができる。
【００１２】
第４の手段は、第２の手段又は第３の手段を有し、かつ前記環状空間Ｖの周方向の一部には、この環状空間Ｖを画成する前記内筒部１４と外筒部１８と底板３とのうちの何れか一つと連設させて、一対の垂直なガイド板７が形成されており、これらガイド板７の間で前記受け部５２が縦方向へ摺動するように構成した。
【００１３】
本手段では、図１又は図７に示す如く、前記環状空間Ｖ内に、前記受け部５２を縦方向に案内する一対のガイド板７を形成している。この構成によれば、前記受け部５２の昇降を円滑にすることができる。
これらガイド板７は、前記内筒部１４と外筒部１８と底板３とのうちの何れか一つと連設させればよい。
【００１４】
第５の手段は、第２の手段から第４の手段のいずれかを有し、かつ前記脚部５６の下端部５８と前記底板３との間に上方付勢手段である弾性部材６０を配置した。
【００１５】
本手段では、図１に示す如く、前記受け部材５０の脚部５６の下端部５８と前記底板３との間に上方付勢手段である弾性部材６０を配置している。
前記受け部材５０とは別個に弾性部材６０を設けており、この弾性部材６０の材質や寸法を選択することにより、所要の弾性力を実現することができる。
【００１６】
第６の手段は、第２の手段から第４の手段の手段を有し、かつ前記脚部５６を上方付勢手段である板バネに形成した。
【００１７】
本手段では、図７に示す如く、前記受け部材５０の脚部５６を上方付勢手段である板バネに形成している。
前記受け部材５０の一部として、上方付勢手段を形成したから、パーツ数が増えることがなく、組み立て作業も容易である。
【発明の効果】
【００１８】
第１の手段に係る発明によれば、容器本体１０の内筒部１４及び外筒部１８の間に形成された環状空間Ｖ内に、受け部材５０を組み付け、この受け部材５０により、前記内筒部１４の外面に沿って配置した縦長のスパチュラ４０を、上方付勢状態でキャップ３０との間に挟持させて支えるから、キャップ３０を外すことにより、スパチュラ４０の上部が容器本体１０より上方へ突き出するから、把持し易い。
第２の手段に係る発明によれば、前記受け部材５０は、前記スパチュラ４０を縦向きに支える保持用凹部５４を有する受け部５２の両側から一対の脚部５６を下方へ突出したから、前記スパチュラ４０の向きを適切に維持され、把持し易い。
第３の手段に係る発明によれば、前記受け部５２を略Ｕ字形の枠体とし、また前記脚部５６を、前記枠体から周方向の外下方へ突出する脚片としており、これら枠体及び脚片が内筒部１４の外面に沿っているから、前記環状空間への収納に適している。
第４の手段に係る発明によれば、前記内筒部１４の外面又は外筒部１８の内面に一対のガイド板７を縦設したから、前記受け部５２の昇降を円滑にすることができる。
第の手段に係る発明によれば、前記脚部５６の下端部５８と前記底板３との間に上方付勢手段である弾性部材６０を配置したから、この弾性部材６０の材質や寸法を選択することにより所要の弾性力を実現でき、設計上の自由度が大きい。
第６の手段に係る発明によれば、前記受け部材５０の脚部５６を上方付勢手段である板バネに形成したから、パーツ数が増えることがなく、組み立て作業も容易である。
【図面の簡単な説明】
【００１９】
【図１】本発明の第１実施形態に係るスパチュラ付き容器の正面方向の断面図である。
【図２】図１の容器からキャップを外した状態での平面図である。
【図３】図１の容器を上方から見た構造を示しており、  同図（Ａ）は図１のIII(A)-III(A)方向から見た容器全体の断面図、  同図（Ｂ）は、容器の主要部材（受け部材）の平面図である。
【図４】図１の容器を側方から見た一部断面図である。
【図５】図１の容器の主要部の構成の概要を示す図であり、  同図（Ａ）は前記主要部の正面形状を、  同図（Ｂ）は、同図（Ａ）のV(B)- V(B)方向から見た形態を、  同図（Ｃ）は、同図（Ａ）のV(C)- V(C)方向から見た形態を、それぞれ示している。
【図６】図１の容器からキャップを外したときの作用の説明図である。
【図７】本発明の第２実施形態に係るスパチュラ付き容器の正面方向の断面図である。
【図８】図７の容器を示しており、同図（Ａ）は、図７の容器からキャップを外したときの作用の説明図、同図（Ｂ）は、図７の容器の主要部を側方から見た図である。
【発明を実施するための最良の形態】
【００２０】
図１から図６は、本発明の第１実施形態に係るスパチュラ付き容器を示している。この容器は、底蓋２と、容器本体１０と、キャップ３０と、スパチュラ４０と、受け部材５０と、弾性部材６０とで形成されている。これらの構造は適宜変更することができる。
これら各部材は、例えば合成樹脂材で形成することができる。
【００２１】
底蓋２は、図１に示す如く、底板３の外周部から背の低い内周壁部４と背の高い外周壁部６とを起立している。もっとも両周壁部の一方を省略してもよい。
前記内周壁部４は、後述の内筒部１４の下端部１４ａと連結されており、その内面には、抜け止め用リブ４ａを周設している。また、この抜け止め用リブ４ａの上側に位置させて、内周壁部４の周方向の一部に、図３（Ａ）に示す切り欠き４ｂが形成されている。
また前記外周壁部６は、後述の外筒部１８と連結されている。
【００２２】
これら外筒部１８と内筒部１４と底板３とで環状空間Ｖが形成されている。この環状空間Ｖは、後述のスパチュラ４０の下半部及び受け部材５０を収納するための空間である。
なお、本明細書においては、図２の下側を“前”と、同図の上側を“後”と、同図の左右方向を“右”及び“左”と、それぞれ称するものとする。
【００２３】
前記環状空間Ｖの周方向の一部（図示例では前部）には、前記外筒部１８と内筒部１４と底板３との何れか一つと連設されて、一対の垂直なガイド板７が形成されている。この説明は、後述の仕切り板に援用するものとする。なお、本明細書において、“連設”とは、直接的に連結する場合に限らないものとする。
図示例では、図３（Ａ）に示すように、前記底板３に下端を連設させた一対の垂直なガイド板７を、前記外周壁部６から内方突設している。
もっともこの構造は適宜変更することができる。例えば後述の内筒部１４から一対のガイド板７を外方突出してもよい。また外周壁部６を省略して前記外筒部１８からガイド板７を内方突出しても構わない。
前記一対のガイド板７は、後述の受け部５２の縦方向の移動を案内する機能を有する。
これら一対のガイド板７は、図６に示す如く、一定の距離Ｍをおいて相互に向かい合っている。ガイド板同士の間の距離Ｍは、受け部５２の周方向の巾Ｗと同じであるか、或いは当該巾よりもアローアンス（摺動余裕）の分だけ大きいものとする。
【００２４】
前記一対のガイド板７の周方向外側には、図３（Ａ）に示す如く、一対の仕切り板８が設けられている。これら仕切り板８は、本実施形態において、後述の弾性部材６０が配置される領域を仕切る役割を有する。これに関しては後述する。
前記ガイド板７と前記仕切り板８との間の距離Ｎは、図５に示す如く、縦方向に圧縮された状態での弾性部材６０の横幅以上とする。
【００２５】
容器本体１０は、有底で上端開口の内筒部１４及び外筒部１８を有する。
前記内筒部１４は、その下面を底壁部１２で閉塞されている。図示例では、前記底壁部１２の外周部を外側に向かうに従って緩やかに隆起させて、この外周部から内筒部１４を立設している。
また前記内筒部１４の下端部は、前記底壁部１２より下方へ延設して脚筒部１４ａとしている。この脚筒部１４ａは、前記内周壁部４の内面に嵌合されている。
前記脚筒部１４ａの外面からは、図３（Ａ）に示すように、前記切り欠き５ｂの両端に係止する一対の係合突起１５が突設されている。
【００２６】
前記外筒部１８は、前記内筒部１４の周囲に前記環状空間Ｖを形成するための境界壁という役割を有する。この外筒部１８は、図１に示すように、前記内筒部１４に対して、支承片（フランジ状壁部）１６を介して前記内筒部１４の周囲に２重筒状に支承されている。
図示例では、前記外筒部１８は、前記内筒部１４の上部外面から前記フランジ状壁部１６を介して前記内筒部１４の下端部付近まで垂下されている。しかしながら、前述の役割を果たすことができれば、前記外筒部１８の構造は適宜変更することができる。
図示例では、前記フランジ状壁部１６で前記環状空間Ｖの上面を覆うことで、この空間内に塵埃が入りにくいなどの利点がある。
図示例の外筒部１８は、図１に示す如く、小径の上方筒部１８ａの下端から拡径部１８ｂを介して下方筒部１８ｃを延出させている。前記上方筒部１８ａの下端部は、図５（Ｃ）に示す如く、肉厚部１９に形成されている。また前記下方筒部１８ｃは、前記外周壁部６の外面に嵌合されている。
前記上方筒部１８ａの外面には、雄ネジ部２０が形成されており、後述の蓋周壁３４が螺合されている。
図示例では、前記外筒部１８の前部に、後述のスパチュラ４０の上部を収納させるための収納凹部２２が形成されている。この収納凹部２２は、前記フランジ状壁部１６の前部を前記上方筒部１８ａの対応箇所とともに陥没させて、前記雄ネジ部２０の周方向の一部を縦断するように設ける。
この収納凹部２２内で、前記フランジ状壁部１６には、図２に示す如く、前記スパチュラ４０を挿通させるために、周方向に長いスリット状の挿通孔２４が開口されている。
なお、図示例では、前記フランジ状壁部１６は、前記拡径部１８ｂの高さまで陥没しており、この拡径部１８ｂに連続している。
図示の収納凹部２２は、図１に示す如く、前方から見て下端側が幅狭の逆台形状に形成されている。
【００２７】
キャップ３０は、図１に示す如く、天板３２の外周から蓋周壁３４を垂設させている。この蓋周壁３４の内面には、前記雄ネジ部２０とかみ合う雌ネジ部３６を形成している。また前記天板３２の裏面にはパッキン３８が取り付けられている。
【００２８】
スパチュラ４０は、図１に示す如く、上側に把持部４６を、また下側に掬い部である内容物取出し部４２をそれぞれ有する。この内容物取出し部には凹み４３が形成されている。
そして把持部４６と内容物取出し部４２との間の中間部４４を、前記挿通孔２４内に縦方向のスライド可能に嵌挿させている。
前記把持部４６には、指掛けである複数の横溝４８が形成されている。図示例では、図５（Ｂ）に示すように、前記スパチュラ４０の表裏両面に前述の凹み４３及び横溝４８を形成している。
【００２９】
受け部材５０は、前記環状空間Ｖ内に組み付けられている。
この受け部材５０は、前記スパチュラ４０を前記キャップ３０との間に上方付勢状態で挟持させて支えるための部材である。
もっとも本実施形態において、前記上方付勢状態は、後述の弾性部材６０により実現される特性であり、受け部材５０自体が上方付勢力を有するものではない。
前記受け部材５０は、図１に示す如く、受け部５２と一対の脚部５６とで形成している。
前記受け部５２は、前記スパチュラ４０を縦向きに支える保持用凹部５４を有する。
また一対の脚部５６は、前記受け部５２の両側から周方向外下方へ突出している。
本実施形態では、前記受け部５２を、図５（Ａ）に示す如く、前記内筒部１４の径方向から見て略Ｕ字形の枠体に、また前記脚部５６を、前記略Ｕ字形の枠体から周方向の外下方へ突出する、任意の棒状（図示例ではＬ字棒状）の脚片に形成している。
これらの枠体５２及び脚片５６は、図３（Ｂ）に想像線で示す内筒部１４の外周面及び外周壁部６の内周面に沿った形状に形成されている。このように周面に沿った枠構造を採用することにより、受け部材５０を、前記環状空間Ｖ内への収納に適した、簡易で無駄のない構成とすることができる。
【００３０】
前記枠体５２は、図示例において、一本の横枠部５２ａの両端に同じ長さの一対の縦枠部５２ｂの下端を連結させた構造であり、これら両縦枠部５２ｂの間に前記保持用凹部５４が形成されている。
好適な図示例において、図３（Ｂ）に示すように、前記横枠部５２ａ及び縦枠部５２ｂの厚みＤｆは、前記スパチュラの厚みＤｓより大きく設け、前記横枠部５２ａの上面で前記スパチュラ４０の下端を確実に支えることができるように設ける。
この保持用凹部５４は上面及び内外方向（内筒部１４の筒径方向）に開放されている。しかしながら、前記枠体５２の内側には前記内筒部１４の外面が、また枠体５２の外側には前記外周壁部６の内面が近接しているため、前記スパチュラ４０を縦向きに保持するという機能を果たすことに支障を生じることはない。  
【００３１】
前記脚片５６は、本実施形態では、図５に示す如く、Ｌ字形に形成されている。具体的には、前記脚片５６は、前記縦枠部５２ｂの上端から間隙ｇを存して周方向外下方へ折り返した垂直バー５６ｂと、この垂直バー５６ｂの下端から周方向外方へ水平に延びる水平バー５６ａとで形成されている。図示例では、垂直バー５６ｂ及び水平バー５６ａの厚みは、前記垂直バー５６ｂ及び水平バー５６ａの厚みＤｆと同じに形成している。
前記水平バー５６ａの下面で形成する下端部５８が後述の弾性部材６０に当接されている。
前記間隙ｇは、前記枠体５２及び各脚片５６の間にそれぞれ形成され、これら間隙ｇ内に下方から、前記一対のガイド板７が挿入されている。
また一対の水平バー５６ａの周方向外側には、一対の前記仕切り板８がそれぞれ近接して配置されている。
【００３２】
弾性部材６０は、前記ガイド板７と仕切り板８との間にそれぞれ配置されている。
図示例の弾性部材６０は、図６に示す初期状態において、円形の弾性リングとして形成されている。もっともこの形状は適宜変更することができる。
同図に示す左右一対の弾性部材の形状・構造・弾性力は同じであることが望ましい。
前記弾性部材６０の寸法は、図６に示す開蓋状態において、前記受け部材５０によって支持されたスパチュラ４０の上部が前記容器本体１０の上端より高く位置するように設計する。
【００３３】
前記構成において、図６の開蓋状態から、前記キャップ３０を前記外筒部１８に対して螺下降させていくと、前記天板３２が前記スパチュラ４０の上端を押圧し、前記弾性部材６０の弾性力に抗して、スパチュラ４０及び受け部材５０が下降し、図１の状態となる。
前記スパチュラ４０を使用するときには、前記キャップ３０を開方向へ回転させ、螺上昇させる。そうすると、前記弾性部材６０の弾性復元力により、前記受け部材５０及び前記スパチュラ４０が上昇する。前記キャップ３０を前記外筒部１８から取り外した段階では、前記把持部４６が容器本体１０の上端より上方へ突出している。従ってこの把持部４６を把持して、前記スパチュラ４０の内容物取出し部４２を前記挿通孔２４から引き出せばよい。
【００３４】
以下、本発明の他の実施形態に係るスパチュラ付き容器を説明する。これらの説明において第１実施形態と同じ構成に関しては解説を省略する。
【００３５】
図７及び図８は、本発明の第２実施形態に係るスパチュラ付き容器を示している。本実施形態では、第１実施形態の弾性部材６０を省略して、弾性部材の代わりに、前記受け部材５０の脚部５６を板バネに形成したものである。
図８に示す開蓋状態において、前記板バネは、前記一対の縦枠部５２ｂの上端から、周方向の外側へほぼ水平に突出した後に下向きへ屈曲する屈曲板部に形成されている。
同図に示す左右一対の板バネは左右対称であり、等しい弾性力を有する。
前記板バネ５６の下端部５８は、前記底板３にスライド可能に当接されている。
なお、本実施形態では、前記仕切り板８は、図７に示す畜力状態（変形状態）で、前記板バネ５６の下端部５８のスライドを規制する役割を有する。
こうすることで、図７の状態で板バネ５６の下端部５８が広がり過ぎることを防止し、十分な弾性復元力を発揮できる状態を実現することができる。
もっともこれらの構造は適宜変更することができる。
【符号の説明】
【００３６】
２…底蓋  ３…底板  ４…内周壁部  ４ａ…抜止め用リブ
４ｂ…切り欠き  ６…外周壁部  ７…ガイド板  ８…仕切り板
１０…容器本体  １２…底壁部  １４…内筒部  １４ａ…脚筒部
１５…係合突起  １６…支承片（フランジ状壁部）
１８…外筒部  １８ａ…上方筒部  １８ｂ…拡径部  １８ｃ…下方筒部
１９…肉厚部
２０…雄ネジ部  ２２…収納凹部  ２４…挿通孔
３０…キャップ  ３２…天板  ３４…蓋周壁  ３６…雌ネジ部  ３８…パッキン
４０…スパチュラ  ４２…内容物取出し部  ４３…凹み ４４…中間部
４６…把持部  ４８…指掛け（横溝）  
５０…受け部材  ５２…受け部（枠体）  ５２ａ…横枠部  ５２ｂ…縦枠部
５４…保持用凹部  ５６…脚部（脚片）  ５６ａ…水平バー  ５６ｂ…垂直バー
５８…下端部   ６０…弾性部材  
Ｄｆ…枠体及び脚片の巾  Ｄｓ…スパチュラの巾
ｇ…間隙  Ｍ…ガイド板同士の距離  Ｎ…ガイド板と仕切り板との距離
Ｖ…環状空間  Ｗ…受け部材の幅
【図１】
2020179903.tif 000003
【図２】
2020179903.tif 000004
【図３】
2020179903.tif 000005
【図４】
2020179903.tif 000006
【図５】
2020179903.tif 000007
【図６】
2020179903.tif 000008
【図７】
2020179903.tif 000009
【図８】
2020179903.tif 000010